(57)【特許請求の範囲】
【請求項１】
天面とその周縁部から垂下しているスカート壁とから成るキャップ本体と、破断可能な連結部を介して該スカート壁の下端に設けられたタンパーエビデントバンドとから構成され、キャップ本体のスカート壁内面が容器口部と嵌合することにより容器口部に装着されるプラスチックキャップにおいて、前記スカート壁の外面には、キャップの高さ方向に延びている複数個のリブが周方向に間隔をおいて形成されており、
側面でみて、該リブの上端面は、実質上フラットな水平面となっており、該水平面の外径は、タンパーエビデントバンドの下端部の内径よりも大きく設定されていることを特徴とするプラスチックキャップ。
【請求項２】
前記リブ上端水平面の外径は、タンパーエビデントバンドの下端部の内径よりも０．２ｍｍ以上大きく設定されている請求項１に記載のプラスチックキャップ。
【請求項３】
前記リブ上端水平面は、天面の外面からスカート壁外面にかけて形成されている曲率部の下端もしくはそれよりも若干上方に位置している請求項１に記載のプラスチックキャップ。
【請求項４】
前記スカート壁の内面及びタンパーエビデントバンドの内面には、それぞれ容器口部外面と係合する突起が設けられており、打栓により容器口部に締結されるものである請求項１に記載のプラスチックキャップ。
【発明の詳細な説明】
【０００１】
【産業上の利用分野】
本発明は、タンパーエビデント機能を備えたプラスチックキャップに関するものであり、特に牛乳ビン等のガラス容器に好適に適用されるプラスチックキャップに関する。
【０００２】
【従来の技術】
従来、いたずら防止等の見地から、開封履歴を明示する機能、即ちタンパーエビデント機能を備えたプラスチックキャップが、各種容器のキャップとして広く使用されている（例えば特公昭５０−２０５０２号、実公昭５４−１８５２３号公報等参照）。
【０００３】
このプラスチックキャップにおいて、特に牛乳ビン等のガラス容器に用いられるものは、通常、天面とその周縁部から垂下しているスカート壁とから成るキャップ本体と、破断可能な連結部を介して該スカート壁の下端に設けられたタンパーエビデント（ＴＥ）バンドとから構成され、キャップ本体のスカート壁内面が容器口部と嵌合することにより容器口部に装着されるものである。即ち、キャップ本体のスカート壁内面には、容器の口部と係合する突起が形成され、打栓により、キャップ本体が容器口部に嵌合固定されるようになっている。またＴＥバンドには、適当な摘まみが設けられており、この摘まみを手で持って引っ張ることにより前記連結部を破断して該バンドがキャップ本体から取り外され、この後に、キャップ本体の容器口部からの脱着が行われる。従って、一度容器口部に締結された後に開封されたキャップは、必ずＴＥバンドが取り外されているため、開封履歴が明示される（ＴＥ機能が発揮される）のである。
【０００４】
ところで、このタイプのキャップにおいては、キャップを容器口部への打栓に際しては、先ず容器口部に設けられているキャップ本体との係合用突起上をＴＥバンドが乗り越え、この後にキャップ本体が容器口部と嵌合する。そして、容器は、その口部から下方にいくにしたがって径が大きくなっていく形状を有している。このような点から、ＴＥバンド下端の内径乃至外径は、基本的にはキャップ本体のそれよりも大きく設計されていることが好ましい。
【０００５】
また、ＴＥバンドの下端部は容器口部の下方部分（首部外周）において容器外壁とぴったりと密着していることが好ましく、容器の使用時にＴＥバンドを引き裂いて容器口部から離脱する際にＴＥバンドを容易に引き裂くために、ＴＥバンドは薄肉で可撓性がかなり高く設計されている。
【０００６】
【発明が解決しようとする課題】
上記の様に、打栓により容器口部に装着されるタイプの従来のＴＥプラスチックキャップでは、キャップの供給時に難点を生じている。即ち、キャップは、容器口部に締結させるまでに、大量のキャップをホッパー等で整列させて供給される。この時にキャップ同士が重なり合い、上側のキャップのＴＥバンドが外側に広がり、下側のキャップが上側のキャップ内にすっぽりと嵌まり込んでしまうというトラブルが頻繁に生じるのである。特に牛乳ビンの様なガラス容器に適用されるキャップのように、キャップ高さが比較的低く設計されているものでは、嵌まり込んだキャップを取り外すのが容易でなく、非常に重要な問題となっている。
【０００７】
このような問題を解決するための手段としては、ＴＥバンド下端の内径を可及的に小さくすることが考えられるが、キャップの天面からスカート壁にかけては曲率面となっているため、またＴＥバンド自体が可撓性の高いものであるため、キャップ同士が重なり合った場合、上記曲率面を案内面として、ＴＥバンドが外側に広がってしまい、結果として、下側のキャップの嵌まり込みを防止することが困難となっている。
【０００８】
従って本発明の目的は、打栓により容器口部に装着されるタイプのＴＥプラスチックキャップにおいて、キャップ同士が重なり合った場合に、下側のキャップが上側のキャップ内に嵌まり込む様なトラブルが有効に防止されたＴＥプラスチックキャップを提供することにある。
【０００９】
【課題を解決するための手段】
本発明によれば、天面とその周縁部から垂下しているスカート壁とから成るキャップ本体と、破断可能な連結部を介して該スカート壁の下端に設けられたタンパーエビデントバンドとから構成され、キャップ本体のスカート壁内面が容器口部と嵌合することにより容器口部に装着されるプラスチックキャップにおいて、前記スカート壁の外面には、キャップの高さ方向に延びている複数個のリブが周方向に間隔をおいて形成されており、
側面でみて、該リブの上端面は、実質上フラットな水平面となっており、該水平面の外径は、タンパーエビデントバンドの下端部の内径よりも大きく設定されていることを特徴とするプラスチックキャップが提供される。
【００１０】
【作用】
即ち、本発明のキャップでは、キャップ本体のスカート壁外面に設けられている多数のリブの上端が水平面となっているため、キャップが重なり合った場合、ＴＥバンドの下端が該リブ上端の水平面にあたって止まるため、下側のキャップはそれ以上上側のキャップ内に嵌まり込むことがないのである。
従来のキャップにも、滑り止め等のために、スカート壁外面に多数のリブが形成されているものは多々存在する。然しながら、従来のキャップでは、キャップの天面からスカート壁にかけて曲率面となっているため、外観特性や手触りの見地からリブの上端面全体が曲率面とされている。従って、従来のＴＥキャップでは、リブが設けられているものでも下側のキャップの嵌まり込みを防止することが困難であったのである。
【００１１】
【実施例】
以下、本発明のプラスチックキャップを添付図面に示す具体例に基づいて詳細に説明する。
図１は、本発明のプラスチックキャップの代表的なものの側断面を一部拡大して示す図であり、図２は、図１のキャップの平面図、図３は、図１のキャップの側面図、図４は、図１のキャップが重なり合った状態を示す半断面図である。
【００１２】
これらの図において、このＴＥキャップは、キャップ本体１とＴＥバンド２とから成っている。
【００１３】
キャップ本体１は、水平な天面５と、天面５の周縁部から垂下したスカート壁６とから構成され、また天面５からスカート壁６にかけての部分７は曲率面となっており、天面５からスカート壁６はなだらかに連なっている。
スカート壁６の内面には、周状突起８が形成されていると共に、天面５の内面には、スカート壁６から容器口部上端の厚み程度離れた位置に、下方に垂下している環状突起９が形成されている。
またスカート壁６の下端には、外側に若干広がった水平フランジ１０が形成されており、その一部には突片１１が形成されている。
【００１４】
ＴＥバンド２は、スカート壁６の下端水平フランジ１０の下面に連結されており、ＴＥバンド２の内径は、実質上、スカート壁６の内径よりも大きく構成されている。
またＴＥバンド２とスカート壁６の連結部分１２は、薄肉となっており、破断可能に構成されている。
このＴＥバンド２の外面には、これに沿って延びている摘まみ片１５が設けられており、摘まみ片１５の保持部１５ａの内側から下側にかけて切り込み線１６が形成され、切り込み線１６の端部からはスコア１７がＴＥバンド２の下端まで延びている。即ち、摘まみ片１５をめくって手で引っ張ることによって、スコア１７が破断し、次いでＴＥバンド２とキャップ本体１との連結部分１２が破断することにより、ＴＥバンド２がキャップ本体１から完全に切り離される。尚、摘まみ片１５は、常態でめくれないように、ブリッジ１８によりＴＥバンド２の外面側に賦勢しておくのがよい。
さらにＴＥバンド２の内面には、周状突起２０が形成されている。
【００１５】
上述した本発明のキャップを容器口部に打栓すると、ＴＥバンド２は、容器口部の上端に形成されている突起を素通りし、その内面に設けられている周状突起２０が容器口部の下側の突起を乗り越えると同時に、スカート壁６の内面に設けられている周状突起８が容器口部の上端突起を乗り越える。これによって、ＴＥバンド２の周状突起２０と上記下側突起とが係合し、ＴＥバンド２は容器口部にしっかりと固定され、ＴＥバンド２の下端は容器口部の外面に密着する。また容器口部上端の突起が、スカート壁６と環状突起９との間の空間に嵌め込まれ、周状突起８と上端突起とが係合し、キャップ本体１が容器口部にしっかりと固定されることになる。
【００１６】
このキャップを容器口部から除去する場合には、前述した様にＴＥバンド２の摘まみ片１５をめくってＴＥバンド２をキャップ本体１から切り離した後、突片１１を手で持ってめくり上げればよい。これにより、キャップ本体１は、容器口部から容易に取り除かれる。また容器口部から取り除かれたキャップ本体１は、ＴＥバンド２が切り離されているため、開封履歴が明示されることになる。
【００１７】
このような本発明のキャップにおいては、特に図１に明瞭に示されている様に、スカート壁６の外面に、一定間隔で周方向に多数のリブ３０が形成されており、その上端は、実質上フラットな水平面３０ａとなっていることが極めて重要である。
即ち、上記キャップが重なり合った状態を示す図４を参照されたい。この図４から明らかな通り、リブ３０の上端に水平面３０ａを形成しておくことにより、これらのキャップが重なり合った時に、ＴＥバンド２の下端が上記水平面３０ａとしっかりと当接するため、ＴＥバンド２が外側に広がることがなく、該バンド２内に下側のキャップがすっぽりと嵌まり込むというトラブルが有効に防止されるのである。
【００１８】
上述した特性を十分に発揮させるためには、水平面３０ａの外径Ｘは、ＴＥバンド２の下端の内径Ｙよりも大きいことが必須であり、ＴＥバンド２の下端厚みによっても異なるが、通常、０．２ｍｍ以上、特に０．３ｍｍ以上大きくすれば十分である。
また上記水平面３０ａの長さｄは、ＴＥバンド２の下端をしっかりと保持し得る程度であれば特に制限はないが、必要以上に大きくすると、キャップの外観や商品価値が損なわれるため、一般的には、０．３５乃至０．９ｍｍ程度とするのが好適である。
【００１９】
また上記リブ３０は、その上端に水平面３０ａが形成されている限り、例えばそのコーナー部、即ち水平面３０ａが垂直面３０ｂに連なる部分を常法にしたがって曲率面としてよい。
【００２０】
さらにリブ上端の水平面３０ａの位置は、天面５からスカート壁６の外面にかけての曲率面７の末端位置あるいはそれよりも若干上方に設定しておくことが好ましい。即ち、リブ３０の背の高さがスカート壁６に比してあまり低いと、このようなリブが形成されていたとしても、重なり合ったキャップ同士がかみ合ってしまうおそれがあるからである。しかも、上記のような位置に設定しておけば、例えばキャップが重なり合った時、ＴＥバンド２の下端が曲率面７にあたって外側に広がった場合にも直ちに水平面３０ａで止められるため、必要以上にＴＥバンド２が変形することがないという利点もある。
【００２１】
上述した本発明のキャップでは、重なり合ったキャップ同士が嵌合してしまうというトラブルが防止される限りにおいて種々の設計変更が可能であり、例えばＴＥバンド２の内面に必ずしも周状突起８を設けておく必要がなく、容器口部の形状に応じて、ＴＥバンド２の内面をフラットにしておくことも可能である。
【００２２】
【発明の効果】
本発明によれば、キャップ本体のスカート壁６の外面に設けられる多数のリブの上端面に水平面を形成させたことにより、キャップを供給した時に、キャップ同士が嵌合してしまうというトラブルが有効に防止でき、キャップの供給の点で極めて有利である。
かかるキャップは、特に牛乳ビン等のガラス容器用のキャップとして有用であり、例えばポリエチレン等のポリオレフィンの一体成形により製造される。
【図面の簡単な説明】
【図１】本発明のプラスチックキャップの代表的なものの側断面を一部拡大して示す図である。
【図２】図１のキャップの平面図である。
【図３】図１のキャップの側面図である。
【図４】図１のキャップが重なり合った状態を示す半断面図である。
【符号の説明】
１：キャップ本体    ２：ＴＥバンド    ６：スカート壁
７：曲率面        １５：摘まみ片    １６：切り込み線
１７：スコア        ３０：リブ      ３０ａ：水平面
【図１】
0003590674.tif 000002
【図２】
0003590674.tif 000003
【図３】
0003590674.tif 000004
【図４】
0003590674.tif 000005